(57)【要約】  ユーザが表示画面を見ずにメッセージの返信操作を行うことができる情報処理装置を実現する。情報処理装置（１）は、圧力を検出するセンサ部（７６）の検出値を受信するセンサ値受信部（３３）と、上記センサの検出値のパターンが所定のパターンである場合、該所定のパターンに応じたメッセージを、受信したメッセージに対して返信するメッセージ送信部（３５）とを備えている。
2017038386.tif 000002
【特許請求の範囲】
【請求項１】
メッセージを送受信する情報処理装置であって、
上記情報処理装置のユーザが身に付けている機器あるいは上記情報処理装置が備えている、圧力または加速度を検出するセンサの検出値を受信するセンサ値受信部と、
上記センサの検出値のパターンが所定のパターンである場合、該所定のパターンに応じた所定のメッセージを、受信したメッセージに対して返信するメッセージ送信部と、を備えていることを特徴とする情報処理装置。
【請求項２】
上記メッセージ送信部は、検出値のパターンと、受信したメッセージの内容と、に応じたメッセージを返信することを特徴とする請求項１に記載の情報処理装置。
【請求項３】
上記受信したメッセージに所定の情報が含まれている場合、該所定の情報に応じた所定の体感刺激を特定する体感刺激特定部と、
上記情報処理装置のユーザに体感刺激を与える体感刺激発生部に対して、特定された上記所定の体感刺激を発生するように指示する体感刺激指示部と、を備えていることを特徴とする請求項１または２に記載の情報処理装置。
【請求項４】
加速度または圧力を検出するセンサを備えているウェアラブル機器であって、
請求項１から３の何れか１項に記載の情報処理装置に、上記センサの検出値を送信するセンサ値送信部を備えていることを特徴とするウェアラブル機器。
【請求項５】
メッセージを送受信する情報処理装置の制御方法であって、
上記情報処理装置のユーザが身に付けている機器あるいは上記情報処理装置が備えている、圧力または加速度を検出するセンサの検出値を受信するセンサ値受信ステップと、
上記センサの検出値のパターンが所定のパターンである場合、該所定のパターンに応じた所定のメッセージを、受信したメッセージに対して返信するメッセージ送信ステップと、を含むことを特徴とする情報処理装置の制御方法。
【請求項６】
請求項１から３の何れか１項に記載の情報処理装置としてコンピュータを機能させるためのプログラムであって、上記センサ値受信部および上記メッセージ送信部としてコンピュータを機能させるためのプログラム。
【発明の詳細な説明】
【技術分野】
【０００１】
本発明は、メッセージを送受信する情報処理装置、情報処理装置の制御方法およびプログラムに関する。
【背景技術】
【０００２】
スマートフォン等の通信端末において、メッセージの送受信を行う手段として、電子メールや各種ソーシャルネットワーキングサービス（SNS）のメッセンジャー機能が一般的に使用されている。当該手段として、例えば、送受信したメッセージをリアルタイム、かつ、時系列に沿って閲覧することのできるアプリケーション等がある。例えば、このようなアプリケーションにおいては、テキストデータ以外に、メッセージを送信するユーザの感情等を表した画像データを送受信することができる。【０００３】
一方で、ユーザが送受信装置を操作できない状況であっても、メッセージの返信を行うことができる技術が開発されている。例えば、特許文献１の送受信システムでは、スマートフォン等の送受信装置は、メッセージを取得し、メッセージに対する返信メッセージの候補を作成して、腕時計型デバイス等のウェアラブルコンピュータに送信する。そして、ユーザは、ウェアラブルコンピュータにて、上記候補の中から所望の返信メッセージを選択し、これにより、選択された返信メッセージが送受信装置から送信される。
【先行技術文献】
【特許文献】
【０００４】
【特許文献１】日本国公開特許公報「特開２０１４−１３４９０３号公報（２０１４年７月２４日公開）」
【発明の概要】
【発明が解決しようとする課題】
【０００５】
しかし、上述の従来技術において、ユーザは、メッセージへの返信を行う際に、送受信装置の表示画面を見る必要はないものの、ウェアラブルコンピュータの表示画面を確認しながら返信メッセージを選択する操作を行う必要がある。つまり、従来技術においては、ユーザは、返信の際に表示画面を見ながら操作を行う必要があるという問題がある。【０００６】
本発明は、上記の問題点に鑑みてなされたものであり、その目的は、ユーザが、表示画面を見ずにメッセージの返信操作を行うことができる情報処理装置等を提供することにある。
【課題を解決するための手段】
【０００７】
上記の課題を解決するために、本発明の一態様に係る情報処理装置は、メッセージを送受信する情報処理装置であって、上記情報処理装置のユーザが身に付けている機器あるいは上記情報処理装置が備えている、圧力または加速度を検出するセンサの検出値を受信するセンサ値受信部と、上記センサの検出値のパターンが所定のパターンである場合、該所定のパターンに応じた所定のメッセージを、受信したメッセージに対して返信するメッセージ送信部と、を備えている。【０００８】
また、本発明の一態様に係る情報処理装置の制御方法は、メッセージを送受信する情報処理装置の制御方法であって、上記情報処理装置のユーザが身に付けている機器あるいは上記情報処理装置が備えている、圧力または加速度を検出するセンサの検出値を受信するセンサ値受信ステップと、上記センサの検出値のパターンが所定のパターンである場合、該所定のパターンに応じた所定のメッセージを、受信したメッセージに対して返信するメッセージ送信ステップと、を含む。
【発明の効果】
【０００９】
本発明の一態様によれば、ユーザは、受信したメッセージに対し、表示画面を見ることなく所望の内容のメッセージを返信することができるという効果を奏する。
【図面の簡単な説明】
【００１０】
【図１】本実施形態１に係る情報処理装置および腕時計型端末の要部構成を示すブロック図である。
【図２】本実施形態１の情報処理装置によるメッセージ返信の概要を示す図である。
【図３】（ａ）は本実施形態１の体感刺激テーブルを示す図であり、（ｂ）は本実施形態１の送信メッセージテーブルを示す図である。
【図４】本実施形態１の情報処理装置の処理の流れの例を示すフローチャートである。
【図５】本実施形態２の情報処理装置の要部構成を示すブロック図である。
【図６】本実施形態２の送信メッセージテーブルを示す図である。
【図７】本実施形態２の情報処理装置の処理の流れの例を示すフローチャートである。
【発明を実施するための形態】
【００１１】
〔実施形態１〕
以下、本発明の実施の形態について、図１〜４を参照しながら、詳細に説明する。
【００１２】
〔本実施形態の概要〕
本実施形態の概要について図２を用いて説明する。図２は、本発明の実施形態１に係る情報処理装置１によるメッセージ返信の概要を示す図である。なお、図２では、情報処理装置１を「Ａさんのスマホ（スマートフォン）」とし、情報処理装置１の返信先である通信装置８を「Ｂさんのスマホ」としている。また、返信を行うためのユーザの操作を受け付ける機器７を「Ａさんの腕時計型端末」として例示している。また、機器７は圧力を検出するセンサを備えている。本実施形態では、機器７が腕時計型端末７である例を説明する。なお、機器７は、ヘッドフォン型、ベルト型、指輪型、ベスト型、ジャケット型、スラックス型および帽子型等、身体に装着することが可能な通信端末（ウェアラブル機器）であればよい。
【００１３】
本実施形態のメッセージ返信の流れについて説明する。図２に示すように、はじめに、（１）「Ａさんのスマホ」が「Ｂさんのスマホ」からメッセージを受信する。なお、受信するメッセージがどのようなものであるかは特に限定されず、テキストのみのメッセージであってもよいし、画像のみのメッセージであってもよく、これらの組み合わせであってもよい。この他にも、音声のメッセージなど、上記以外の形式のメッセージであってもよい。また、メッセージの送信・受信の態様も特に限定されず、例えば電子メールとして送信されたメッセージを「Ａさんのスマホ」が受信する態様であってもよいし、サーバにアップロードされたメッセージを「Ａさんのスマホ」がダウンロードする態様であってもよい。そして、後者の場合、「Ｂさんのスマホ」がアップロードしたメッセージの他、「Ａさんのスマホ」や、その他の装置がアップロードしたメッセージについても合わせてダウンロードし、これら複数のメッセージをリアルタイムに時系列で（タイムライン形式で）表示してもよい。
【００１４】
次に、（２）「Ａさんのスマホ」は、「Ａさんの腕時計型端末」にメッセージの受信を通知する。次に、（３）Ａさんは、手Ｈで「Ａさんの腕時計型端末」を握る。これによって、「Ａさんの腕時計型端末」のセンサにて所定のパターンの圧力が検出される。そして、（４）「Ａさんの腕時計型端末」は、センサの検出値であるセンサ値を、無線通信等を介して「Ａさんのスマホ」に送信する。なお、「Ａさんの腕時計型端末」および「Ａさんのスマホ」の通信はBluetooth（登録商標）等の近距離無線通信が用いられる他、無線ＬＡＮ等の遠距離無線通信が用いられてもよい。なお、当該通信は、無線通信に限定されない。
【００１５】
次に、（５）「Ａさんのスマホ」は、受信したセンサ値が所定のパターンである場合、該所定のパターンに応じた送信メッセージを生成する。図２の例で生成されたメッセージは、画像Ｐ「ぎゅ〜」である。つまり、Ａさんは、スマホでメッセージを受信したときに、腕時計型端末７をぎゅ〜っと握ることにより、該メッセージに対して、その握り方に対応する画像Ｐ「ぎゅ〜」を含むメッセージで返信することができる。図示の例では、画像Ｐ「ぎゅ〜」以外にも、腕時計型端末７の握り方に応じた様々な画像を例示している。例えば、腕時計型端末７を２回続けて強く（所定値以上の圧力で）握った場合、画像「ぐっぐ」を含むメッセージが返信される。なお、図示の例では、生成された送信メッセージを「Ａさんのスマホ」に表示させているが、この表示は必須ではない。
【００１６】
そして、（６）「Ａさんのスマホ」は、生成した送信メッセージを「Ｂさんのスマホ」に返信する。これにより、（７）「Ｂさんのスマホ」は、画像Ｐを含むメッセージを受信し、表示する。
【００１７】
上記の構成によれば、情報処理装置１は、センサ値のパターンに応じた所定の送信メッセージを返信する。このため、ユーザは、スマホや腕時計型端末の表示画面を見ることなく、機器７に対して、所定のパターンの圧力を加える操作を行うことにより、該パターンに対応する所定の送信メッセージを返信することができる。
【００１８】
〔情報処理装置１の構成〕
次に、情報処理装置１の構成について図１を用いて説明する。図１は本実施形態に係る情報処理装置１および腕時計型端末７の要部構成を示すブロック図である。情報処理装置１は、メッセージの送受信が可能な装置であればよく、上述したスマートフォンの他、携帯電話機、携帯型ゲーム機およびウェアラブルな通信機器等であってもよい。情報処理装置１は、第１通信部２、制御部３、第２通信部４、記憶部５およびタッチパネル６を備えている。
【００１９】
第１通信部２は、外部の機器と通信ネットワークを介して通信する。本実施形態では、第１通信部２は通信装置８とのメッセージの送受信を行う。
【００２０】
制御部３は、情報処理装置１の各部を統括して制御するものである。制御部３は、体感刺激特定部３１、体感刺激指示部３２、センサ値受信部３３、送信メッセージ特定部３４およびメッセージ送信部３５を含む。
【００２１】
体感刺激特定部３１は、受信したメッセージに特定情報が含まれているか否かを判断する。そして、体感刺激特定部３１は、受信したメッセージに特定情報が含まれている場合、該特定情報に応じた所定の体感刺激を特定する。体感刺激特定部３１は特定した体感刺激を体感刺激指示部３２に通知する。また、体感刺激特定部３１はタッチパネル６の表示部６１に、受信したメッセージを表示させる。詳細には、体感刺激特定部３１は、記憶部５に格納されている体感刺激テーブル５１を参照して、受信したメッセージに特定情報が含まれているかを判断する。
【００２２】
ここで、体感刺激テーブル５１について、図３の（ａ）を用いて説明する。図３の（ａ）は、体感刺激テーブル５１の一例を示す図である。図３の（ａ）に示すように、体感刺激テーブル５１には、特定情報と腕時計型端末７の体感刺激発生部７５が発生する体感刺激とが対応付けて記憶されている。詳細は後述するが、体感刺激発生部７５は、収縮（による圧迫）の体感刺激を発生するものである。
【００２３】
特定情報は、メッセージとして受信可能なものであればよく、例えば画像、テキスト、音声等を特定情報としてもよい。図３の（ａ）に示す体感刺激テーブル５１には、画像（「やった〜！」）が含まれている。この画像は、メッセージとして単独であるいはテキストと共に送信可能なものとして予め用意されている。
【００２４】
つまり、通信装置８のユーザは、予め用意された画像の中から、所望の画像を選択して、その画像単独であるいはテキストと共に、メッセージとして情報処理装置１に送信することができる。そして、情報処理装置１は、受信したメッセージに含まれる画像が、体感刺激テーブル５１に登録された特定情報である場合に、その特定情報に対応付けられている体感刺激を体感刺激発生部７５によって発生させる。
【００２５】
そして、体感刺激テーブル５１では、各特定情報について、体感刺激発生部７５が発生させる体感刺激のパターンを示す情報が対応付けられている。上述のように体感刺激発生部７５は、収縮（による圧迫）の体感刺激を発生するので、図示の体感刺激テーブル５１には、体感刺激のパターンを示す情報として、収縮パターンが含まれている。
【００２６】
体感刺激のパターンは、該体感刺激を受けたユーザに特定情報の内容を認識させることができるようなものであればよく、直感的に特定情報の内容を認識させることができるようなものであることが好ましい。
【００２７】
例えば、図３の体感刺激テーブル５１に含まれる特定情報の画像（「やった〜！」）は、ヒトが拳を突き上げた様子を示す画像であり、躍動感、昂揚感、および達成感などを感じさせる画像である。このため、この特定情報に対応付ける体感刺激のパターンも、達成感や躍動感、昂揚感を感じさせるパターンとすることが好ましい。例えば、図示の例では、画像（「やった〜！」）には、収縮強度のピークが複数（具体的には４つ）連続して生じる収縮パターンが対応付けられている。つまり、図示の体感刺激テーブル５１によれば、画像（「やった〜！」）を含むメッセージの受信時に、体感刺激発生部７５にて連続した複数回（具体的には４回）の締め付けを行う体感刺激を発生させる。この体感刺激は、画像（「やった〜！」）と共通の感覚（躍動感や昂揚感など）を与えるものであるから、この体感刺激を受けたユーザは、メッセージの内容を、視覚で確認するまでもなく、体感で認識することができる。
【００２８】
なお、特定情報の中には、「悲しい」「うれしい」のように、感情を示す情報が含まれていてもよい。そして、同じ感情に対応する複数の特定情報を体感刺激テーブル５１に含めておいてもよい。例えば、悲しみの感情に対応する特定情報として、「悲しい」のテキストに加えて、悲しみを示す画像を含めてもよい。この場合、同じ感情に対応する複数の特定情報には、共通の体感刺激のパターンを対応付けることが好ましい。これにより、体感刺激を受けるユーザは、メッセージに込められた感情を認識しやすくなる。
【００２９】
体感刺激指示部３２は、腕時計型端末７が備えている体感刺激発生部７５に対して、体感刺激を発生するように指示する。詳細には、体感刺激指示部３２は、体感刺激特定部３１が特定したパターンの体感刺激を腕時計型端末７の体感刺激発生部７５に発生せしめるための体感刺激情報を生成し、第２通信部４を介して、腕時計型端末７に送信する。
【００３０】
センサ値受信部３３は、腕時計型端末７が備えているセンサ部７６が出力するセンサ値を受信し、受信したセンサ値のパターンを送信メッセージ特定部３４に通知する。つまり、センサ値受信部３３は、受信開始から受信終了までのセンサ値の大きさの経時変化を示すデータ（例えば図３の（ｂ）に示すような波形データ）を生成して送信メッセージ特定部３４に通知する。なお、上記のデータは、腕時計型端末７側で生成してもよいし、送信メッセージ特定部３４で生成してもよい。
【００３１】
送信メッセージ特定部３４は、センサ値のパターンが所定のパターンであるかを判断する。そして、送信メッセージ特定部３４は、受信したセンサ値のパターンが所定のパターンである場合、該センサ値のパターンに応じた所定の送信メッセージを特定する。その後、特定した送信メッセージの送信をメッセージ送信部３５に指示する。詳細には、送信メッセージ特定部３４は、記憶部５に格納されている送信メッセージテーブル５２を参照して、受信したセンサ値のパターンが所定のパターンであるかを判断する。そして、所定のパターンであると判断した場合、送信メッセージ特定部３４は、送信メッセージテーブル５２において該所定のパターンに対応付けられている送信メッセージを特定し、メッセージ送信部３５に該送信メッセージの送信を指示する。なお、送信メッセージ特定部３４は、特定した送信メッセージをタッチパネル６の表示部６１に表示してもよい。
【００３２】
送信メッセージテーブル５２について、図３の（ｂ）を用いて説明する。図３の（ｂ）は、送信メッセージテーブル５２の一例を示す図である。図３の（ｂ）に示すように、送信メッセージテーブル５２には、センサ値のパターン（センサ値パターン）と送信メッセージとが対応付けて記憶されている。詳細は後述するが、腕時計型端末７の備えるセンサ部７６は、圧力を検出する圧力センサである。このため、送信メッセージテーブル５２におけるセンサ値のパターンは、センサ部７６に対する加圧のパターンということになる。
【００３３】
送信メッセージは、メッセージとして送信可能なものであればよく、例えば画像、テキスト、音声等を送信メッセージとしてもよい。図３の送信メッセージテーブル５２には、２種類の画像（「やった〜！」および「ガッカリ・・・」）が含まれている。これらの画像は、単独であるいはテキストと共にメッセージとして送信可能なものとして予め用意されている。
【００３４】
そして、情報処理装置１は、腕時計型端末７から受信したセンサ値のパターンが、送信メッセージテーブル５２に登録されたセンサ値のパターンである場合に、そのセンサ値のパターンに対応付けられている送信メッセージを通信装置８に返信する。
【００３５】
センサ値のパターンは、対応している送信メッセージを示すものであればよい。また、センサ値のパターンは、ユーザが、そのパターンに応じた送信メッセージを直感的に認識できるようなものであることが好ましい。これにより、ユーザが、各送信メッセージを送信するためのパターンを覚えやすくなるからである。
【００３６】
例えば、図３の（ｂ）の送信メッセージテーブル５２に含まれる送信メッセージのうち、画像（「やった〜！」）は、ヒトが拳を突き上げた様子を示す画像であり、躍動感、昂揚感、および達成感などを感じさせる画像である。このため、この画像に対応付けるセンサ値のパターンも、達成感や躍動感、昂揚感を感じさせるパターンとすることが好ましい。言い換えれば、この送信メッセージに対応付けるセンサ値のパターンは、この送信メッセージの示す感情を表現したものとすることが好ましい。例えば、図示の例では、画像（「やった〜！」）には、センサ値のピークが複数（具体的には４つ）連続して生じるパターンが対応付けられている。つまり、図示の送信メッセージテーブル５２によれば、ピークが複数（具体的には４つ）連続して生じるセンサ値のパターンの受信時に、画像（「やった〜！」）を送信メッセージとして特定する。このセンサ値のパターンは、画像（「やった〜！」）と共通の感覚（躍動感や昂揚感など）のものである。そのため、該パターンを生じるように腕時計型端末７に圧力を加えるユーザは、上記のパターンが画像（「やった〜！」）を送信するためのパターンであることを覚えやすい。
【００３７】
また、体感刺激テーブル５１に含まれる特定情報と送信メッセージテーブル５２に含まれる送信メッセージとが同一である場合、特定情報に対応する体感刺激のパターンと、送信メッセージに対応するセンサ値のパターンとを同一のパターンとしてもよい。例えば、図３の（ａ）における、特定情報である画像（「やった〜！」）に対応する体感刺激のパターンは、同図の（ｂ）において、送信メッセージである画像（「やった〜！」）に対応するセンサ値のパターンと同一のパターンである。
【００３８】
一方、図３の（ｂ）の送信メッセージテーブル５２に含まれる送信メッセージのうち、画像（「ガッカリ・・・」）は、ヒトがうな垂れている様子を示す画像であり、失望感などを感じさせる画像である。このため、該画像には、画像（「やった〜！」）と比べて、センサ値が小さいピークが複数回（具体的には２回）続くセンサ値のパターンが対応付けられている。よって、ユーザは、腕時計型端末７に対し、弱く二回加圧する（例えばセンサ部７６が設けられている部分を握る）ことにより、画像（「ガッカリ・・・」）を送信メッセージとして返信することができる。このセンサ値のパターンは弱々しく、失望感を想起させる。そのため、ユーザは、上記のパターンが画像（「ガッカリ・・・」）を送信するためのパターンであることを覚えやすい。
【００３９】
メッセージ送信部３５は、送信メッセージ特定部３４が特定した送信メッセージを、受信したメッセージの送信元に対して、第１通信部２を介して送信（返信）する。
【００４０】
第２通信部４は、腕時計型端末７に体感刺激情報を送信する。また、第２通信部４は腕時計型端末７からセンサ値を受信し、センサ値受信部３３に送信する。
【００４１】
記憶部５は、情報処理装置１が使用する各種データを記憶するものである。本実施形態では、体感刺激テーブル５１および送信メッセージテーブル５２を記憶している。
【００４２】
タッチパネル６は、画面表示を行う表示部６１を備えている。表示部６１は、画像を表示するための表示画面を有しており、制御部３から画像信号を受信し、受信した画像信号に基づいてその表示画面に画像を表示する。同図には示していないが、表示部６１には、表示画面への画像の表示を制御する表示制御部が含まれている。また、タッチパネル６は、表示画面に対するユーザの入力操作（表示画面をタッチする操作）を受け付け、受け付けた入力操作の内容を示す信号を制御部３に出力する。表示部６１は、例えば受信したメッセージおよび送信したメッセージを表示する。表示部６１は画像を表示する機能を備えているものであればよく、例えばＬＣＤ（Liquid Crystal Display）表示装置、ＥＬ（Electro Luminescence）表示装置等で構成することもできる。
【００４３】
〔腕時計型端末７の構成〕
次に、腕時計型端末７の構成について図１を用いて説明する。腕時計型端末７は、情報処理装置１から体感刺激情報を受信し、該体感刺激情報が示すパターンの体感刺激を発生する。また、センサ値を情報処理装置１に送信する。腕時計型端末７は、通信部７１、制御部７２、体感刺激発生部７５およびセンサ部７６を備えている。
【００４４】
通信部７１は、外部の機器と通信する。本実施形態では、通信部７１は情報処理装置１から体感刺激情報を受信し、受信した体感刺激情報を体感刺激発生部７５に送信する。また、通信部７１は、センサ値送信部７４の指示に従い、センサ値を情報処理装置１に送信する。
【００４５】
制御部７２は、腕時計型端末７の各部を統括して制御する。制御部７２は、体感刺激制御部７３およびセンサ値送信部７４を含む。
【００４６】
体感刺激制御部７３は、受信した体感刺激情報が示すパターンの体感刺激を発生させるように体感刺激発生部７５を制御する。
【００４７】
センサ値送信部７４は、センサ部７６からセンサ値を受信し、通信部７１を介して、該センサ値を情報処理装置１に送信する。
【００４８】
体感刺激発生部７５は、体感刺激を発生するものである。詳細には、体感刺激発生部７５はユーザに対して収縮の体感刺激を与えるものである。体感刺激発生部７５は、例えば、マイクロポンプとバルーン（膨脹部材）から構成されていてもよい。この場合、マイクロポンプを駆動してバルーンに空気を送り込むことによって、バルーンを膨脹させ、これによりユーザに収縮の体感刺激（圧迫の刺激）を与える。上記バルーンは、例えば、ユーザの手首に腕時計型端末７を保持するバンドに設けてもよい。また、体感刺激発生部７５は、温度を体感刺激としてユーザに体感させるペルチェ素子等を備えていてもよい。例えば、怒りのような感情（高ぶっている感情）を表している特定情報には高温の体感刺激を対応付けてもよい。また、悲しみ、さみしさ等の感情（落ち込んでいる感情）を表している特定情報には低温の体感刺激を対応付けてもよい。これにより、体感刺激によって、特定情報の示す感情を表現することができる。なお、体感刺激発生部７５はユーザに対して体感刺激を与えることができるものであればよく、体感刺激発生部７５がどのような体感刺激を発生させるかは任意である。また、本実施形態では、圧迫という１種類の体感刺激の例を示したが、２種類以上の体感刺激を組み合わせてもよい。例えば、振動の体感刺激と圧迫の体感刺激とを組み合わせてもよい。
【００４９】
センサ部７６は圧力を検出し、検出したセンサ値をセンサ値送信部７４に送信する。なお、本実施形態では、情報処理装置１および腕時計型端末７が別々の機器である例を示すが、情報処理装置１自体が体感刺激を発生させ、情報処理装置１自体がセンサ値を検出する構成であってもよい。このような構成においては、情報処理装置１は、発生させた体感刺激をユーザに伝えることができ、ユーザが該体感刺激に対してすぐに圧力等を加える操作ができるように、腕時計型端末のようなウェアラブルな装置とすることが好ましい。
【００５０】
〔情報処理装置１が実行する処理の流れ〕
次に、情報処理装置１が実行する処理の流れの一例について、図４を参照して説明する。図４は、情報処理装置１における処理の流れの一例を示すフローチャートである。図４に示すように、情報処理装置１の体感刺激特定部３１は、通信装置８からメッセージを受信する（Ｓ１）。詳細は実施形態２で説明するが、情報処理装置１は、腕時計型端末７に指示して、受信したメッセージの内容を体感刺激によってユーザに通知させることができる。これにより、ユーザは、表示部６１を見ることなく、受信したメッセージの内容を体感刺激によって認識することができる。
【００５１】
センサ値受信部３３は、センサ値の受信を待ち受けており（Ｓ２）、センサ値を腕時計型端末７から受信した場合（Ｓ２でＹＥＳ、センサ値受信ステップ）、センサ値受信部３３は、受信したセンサ値のパターンを送信メッセージ特定部３４に通知する。
【００５２】
続いて、送信メッセージ特定部３４は、センサ値のパターンに対応する送信メッセージがあるかを判断する。すなわち、受信したセンサ値のパターンが所定のパターンであるかを判断する（Ｓ３）。受信したセンサ値のパターンが所定のパターンであった場合（Ｓ３でＹＥＳ）、送信メッセージ特定部３４は、送信メッセージテーブル５２において当該所定のパターンに対応付けられている送信メッセージを特定する（Ｓ４）。そして、送信メッセージ特定部３４は特定した送信メッセージをメッセージ送信部３５に通知する。
【００５３】
次に、メッセージ送信部３５は、通知された送信メッセージを、Ｓ１で受信したメッセージに対する返信のメッセージとして通信装置８に送信する（Ｓ５：メッセージ送信ステップ）。また、送信メッセージ特定部３４は、特定した送信メッセージを表示部６１に表示する（Ｓ６）。以上で、メッセージ受信時における情報処理装置１の処理が終了する。
【００５４】
なお、情報処理装置１がセンサ値を受信しなかった場合（Ｓ２でＮＯ）、Ｓ３からＳ６の処理は行わずに処理を終了する。また、センサ値を受信した場合（Ｓ２でＹＥＳ）であっても、受信したセンサ値に対応する送信メッセージがなかった場合（Ｓ３でＮＯ）、Ｓ４からＳ６の処理は行わずに処理を終了する。
【００５５】
〔実施形態２〕
本発明の他の実施形態について、図５、図６および図７に基づいて説明すれば、以下のとおりである。なお、説明の便宜上、前記実施形態にて説明した部材と同じ機能を有する部材については、同じ符号を付記し、その説明を省略する。
【００５６】
〔情報処理装置１ａの構成〕
本実施形態に係る情報処理装置１ａの構成について、図５を参照して説明する。図５は情報処理装置１ａの要部構成を示すブロック図である。情報処理装置１ａは、第１通信部２、制御部３ａ、第２通信部４、記憶部５ａおよびタッチパネル６を備えている。
【００５７】
制御部３ａは、実施形態１で説明した制御部３の送信メッセージ特定部３４および体感刺激特定部３１に代り、送信メッセージ特定部３４ａおよび体感刺激特定部３１ａをそれぞれ含む。また、記憶部５ａは、実施形態１で説明した記憶部５の送信メッセージテーブル５２に代り、送信メッセージテーブル５２ａを含む。さらに、記憶部５ａは、体感刺激指示履歴５３を含む。
【００５８】
体感刺激特定部３１ａは、体感刺激特定部３１が行う処理に加え、特定した体感刺激を、記憶部５ａに記録する。体感刺激指示履歴５３は、このようにして記録された、体感刺激のパターンの履歴である。
【００５９】
送信メッセージ特定部３４ａは、受信したメッセージの内容に応じた返信メッセージを特定する点が送信メッセージ特定部３４との相違点である。詳細には、送信メッセージ特定部３４ａは、記憶部５ａに格納されている送信メッセージテーブル５２ａおよび体感刺激指示履歴５３を参照して返信メッセージを特定する。
【００６０】
送信メッセージテーブル５２ａについて、図６を用いて説明する。なお、送信メッセージテーブル５２と同様の構成については説明を省略する。図６は、送信メッセージテーブル５２ａの一例を示す図である。図６に示すように、送信メッセージテーブル５２ａには、送信メッセージに対して、センサ値のパターン（センサ値パターン）および腕時計型端末７に指示した体感刺激のパターン（指示した体感刺激）が対応付けて記憶されている。
【００６１】
図６の送信メッセージテーブル５２ａには、送信メッセージとして３種類の画像（「やった〜！に同調」、「今行く！」、「少し遅れる・・・」）が含まれている。情報処理装置１ａは、センサ値のパターンおよび指示した体感刺激のパターンが、送信メッセージテーブル５２ａに登録されたパターンである場合に、そのパターンに対応付けられている送信メッセージを通信装置８に返信する。
【００６２】
例えば、図６の送信メッセージテーブル５２ａに含まれる送信メッセージのうち、画像（「やった〜！に同調」）には、所定の値以上のセンサ値が所定の時間以上継続するセンサ値のパターンが対応付けられている。また、画像（「やった〜！に同調」）には、連続した複数回（具体的には４回）の締め付けを行う体感刺激のパターンも対応付けられている。なお、この体感刺激のパターンは、図３の（ａ）に示したように、画像（「やった〜！」）に対応付けられている。
【００６３】
よって、図示の送信メッセージテーブル５２ａによれば、画像（「やった〜！」）を含むメッセージの受信により図示の体感刺激のパターンを指示し、かつ、図示のパターンのセンサ値を受信した場合に、画像（「やった〜！に同調」）を送信メッセージとして特定する。
【００６４】
つまり、情報処理装置１ａは、画像（「やった〜！」）を含むメッセージを受信したときには、そのメッセージに応じた体感刺激を発生させるように指示する。そして、この体感刺激を受けたユーザが、図示のパターンのセンサ値が検出されるように、腕時計型端末７に圧力を加える（例えば腕時計型端末７を一定時間強く握り込む）と、画像（「やった〜！に同調」）を含むメッセージが自動的に返信される。
【００６５】
このように、指示した体感刺激（受信したメッセージに応じた体感刺激）を加味することにより、同じセンサ値パターンとなるように腕時計型端末７に圧力を加えた場合でも、異なるメッセージを返信することが可能になる。例えば、図６の画像（「今行く！」）に対応付けられたセンサ値のパターンは、画像（「やった〜！」に同調）と同一である。一方で、画像（「今行く！」）には、所定の時間をかけて収縮強度が徐々に上昇してピークの頂点に達する体感刺激のパターンが対応付けられており、このパターンは、画像（「やった〜！に同調」）に対応付けられている体感刺激のパターンとは異なる。この体感刺激のパターンは、特定情報である「まだ〜？」（例えば画像）に対応付けられた体感刺激のパターンである。
【００６６】
つまり、情報処理装置１ａは、特定情報（「まだ〜？」）を含むメッセージを受信したときには、そのメッセージに応じた、図６の２段目のパターンの体感刺激を発生させるように指示する。そして、この体感刺激を受けたユーザが、同図の２段目のパターン（１段目と同じ）のセンサ値が検出されるように、腕時計型端末７に圧力を加えると、画像（「今行く！」）を含むメッセージが自動的に返信される。
【００６７】
一方、特定情報（「まだ〜？」）を含むメッセージを受信したときに、図６の３段目に示すパターンのセンサ値が検出されるように圧力を加える（例えば一定時間弱く握る）と、画像（「少し遅れる・・・」）を含むメッセージが自動的に返信される。このように、受信メッセージが同じである場合に、腕時計型端末７に加える圧力のパターンを変えることにより、異なる内容の返信メッセージを送信することができる。
【００６８】
〔情報処理装置１ａが実行する処理の流れ〕
次に、情報処理装置１が実行する処理の流れの一例について、図７を参照して説明する。図７は、情報処理装置１ａの処理の流れの例を示すフローチャートである。なお、実施形態１の情報処理装置１と同様の処理は説明を省略する。
【００６９】
体感刺激特定部３１ａは、受信したメッセージに特定情報（所定の情報）が含まれているか否かを判断する（Ｓ１１）。ここで、受信したメッセージに特定情報が含まれていると判断すると（Ｓ１１でＹＥＳ）、体感刺激特定部３１ａは、体感刺激テーブル５１を参照して、含まれていると判断した上記特定情報に応じた所定の体感刺激のパターンを特定し、特定した体感刺激を体感刺激指示部３２に通知する。また、体感刺激特定部３１ａは、特定した体感刺激を体感刺激指示履歴５３として記憶する。次に、体感刺激指示部３２は、体感刺激特定部３１ａから通知された体感刺激を体感刺激発生部７５に発生せしめるための体感刺激情報を生成する。
【００７０】
そして、体感刺激指示部３２は、上記体感刺激情報を腕時計型端末７に送信する。すなわち、体感刺激指示部３２は、体感刺激特定部３１ａが特定した体感刺激を発生するように腕時計型端末７に指示する（Ｓ１２）。また、体感刺激特定部３１ａは、Ｓ１で受信したメッセージを表示部６１に表示する（Ｓ１３）。続いて、Ｓ２の処理が行われる。
【００７１】
Ｓ２においてセンサ値の受信が確認できた場合（Ｓ２でＹＥＳ）、送信メッセージ特定部３４ａは、センサ値のパターンおよび体感刺激指示履歴５３として記憶された、Ｓ１２で発生させるように指示した体感刺激のパターンに対応する送信メッセージがあるかを判断する（Ｓ１４）。
【００７２】
対応する送信メッセージがある場合（Ｓ１４でＹＥＳ）、送信メッセージ特定部３４ａは当該送信メッセージを特定する（Ｓ１５）。続いて、Ｓ５およびＳ６の処理が行われて、処理は終了する。
【００７３】
なお、受信したメッセージに特定情報が含まれていないと判断した場合（Ｓ１１でＮＯ）、体感刺激特定部３１ａは、Ｓ１で受信したメッセージを表示部６１に表示し（Ｓ１４）、処理は終了する。この場合、Ｓ１２、Ｓ１３およびＳ２〜Ｓ６は行われない。また、Ｓ１４で対応する送信メッセージがないと判断した場合（Ｓ１４でＮＯ）にも、処理は終了する。
【００７４】
〔実施形態３〕
上記各実施形態では、センサ部７６を感圧センサとした例を示したが、センサ部７６は感圧センサに限られない。例えば、センサ部７６を加速度センサとしてもよい。この場合も感圧センサを用いた上述の例と同様にして、センサ部７６が検出したセンサ値のパターン（例えば加速度の大きさの経時変化のパターン）に応じた返信メッセージを特定することが可能である。この場合、ユーザは、腕時計型端末７を所定のパターンで動かす（振る）ことによって、所望の内容の返信メッセージを送信することができる。
【００７５】
〔ソフトウェアによる実現例〕
情報処理装置１、情報処理装置１ａおよび腕時計型端末７の制御ブロック（制御部３、制御部３ａおよび制御部７２）は、集積回路（ＩＣチップ）等に形成された論理回路（ハードウェア）によって実現してもよいし、ＣＰＵ（Central Processing Unit）を用いてソフトウェアによって実現してもよい。
【００７６】
後者の場合、情報処理装置１、情報処理装置１ａおよび腕時計型端末７は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７７】
〔参考例〕
上記各実施形態では、センサ値のパターンに応じた内容の返信メッセージを送信する例を説明したが、センサ値のパターンを考慮せずに返信メッセージの内容を決定することも可能である。この場合、例えば受信したメッセージの内容や送信元等に応じた内容の返信メッセージを決定し、所定のパターンのセンサ値が検出されたことをトリガとして、該返信メッセージを送信してもよい。
【００７８】
〔まとめ〕
本発明の態様１に係る情報処理装置（１、１ａ）は、メッセージを送受信する情報処理装置であって、上記情報処理装置のユーザが身に付けている機器（腕時計型端末７）あるいは上記情報処理装置が備えている、圧力または加速度を検出するセンサ（センサ部７６）の検出値を受信するセンサ値受信部（３３）と、上記センサの検出値のパターンが所定のパターンである場合、該所定のパターンに応じた所定のメッセージを、受信したメッセージに対して返信するメッセージ送信部（３５）と、を備えている。
【００７９】
上記の構成によれば、センサの検出値のパターンが所定のパターンである場合、受信したセンサ値のパターンに応じた所定の送信メッセージを返信する。よって、ユーザは、他の機器あるいは自装置に対して、所定のパターンの加速度あるは圧力を加える操作を行うことで、受信したメッセージに返信することができ、この操作を行う際に、表示画面を見る必要がない。
【００８０】
本発明の態様２に係る情報処理装置（１ａ）は、上記態様１において、上記メッセージ送信部は、検出値のパターンと、受信したメッセージの内容と、に応じたメッセージを返信してもよい。
【００８１】
上記の構成によれば、検出値のパターンと、受信したメッセージの内容と、に応じたメッセージを返信する。よって、受信したメッセージの内容を加味したメッセージを返信することができる。
【００８２】
本発明の態様３に係る情報処理装置は、上記態様１または２において、上記受信したメッセージに所定の情報が含まれている場合、該所定の情報に応じた所定の体感刺激を特定する体感刺激特定部（３１、３１ａ）と、上記情報処理装置のユーザに体感刺激を与える体感刺激発生部（７５）に対して、特定された上記所定の体感刺激を発生するように指示する体感刺激指示部（３２）と、を備えている。
【００８３】
上記の構成によれば、情報処理装置は、受信したメッセージに所定の情報が含まれている場合、所定の情報に応じた所定の体感刺激を、体感刺激発生部に発生させる。よって、体感刺激発生部が発生する体感刺激により、受信したメッセージに含まれている所定の情報をユーザに認識させることができる。すなわち、ユーザは、受信メッセージの表示を見ることなく、受信したメッセージに含まれている所定の情報を認識することができる。したがって、メッセージの確認から返信までの一連の操作を、表示画面を見ずに行わせることができる。
【００８４】
本発明の態様４に係るウェアラブル機器（腕時計型端末７）は、加速度または圧力を検出するセンサ（センサ部７６）を備えているウェアラブル機器であって、態様１から３の何れか１つの情報処理装置に、上記センサの検出値を送信するセンサ値送信部（７４）を備えていてもよい。
【００８５】
上記の構成によれば、ウェアラブル機器は、加速度または圧力を検出するセンサを備え、上記情報処理装置にセンサの検出値を送信する。よって、ユーザは、上記ウェアラブル機器を動かす、または上記ウェアラブル機器に圧力を加えることにより、その動きまたは加圧に応じたメッセージを返信することができる。
【００８６】
本発明の態様５に係る情報処理装置の制御方法は、メッセージを送受信する情報処理装置の制御方法であって、上記情報処理装置のユーザが身に付けている機器あるいは上記情報処理装置が備えている、圧力または加速度を検出するセンサの検出値を受信するセンサ値受信ステップ（Ｓ２）と、上記センサの検出値のパターンが所定のパターンである場合、該所定のパターンに応じた所定のメッセージを、受信したメッセージに対して返信するメッセージ送信ステップ（Ｓ５）と、を含む。上記の構成によれば、上記態様１と同様の効果を奏する。
【００８７】
本発明の各態様に係る情報処理装置は、コンピュータによって実現してもよく、この場合には、コンピュータを上記情報処理装置が備える各部（ソフトウェア要素）として動作させることにより上記情報処理装置およびウェアラブル機器をコンピュータにて実現させる装置の制御プログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８９】
１、１ａ  情報処理装置，７  腕時計型端末（身に着けている機器），３１、３１ａ  体感刺激特定部，３２  体感刺激指示部，３３  センサ値受信部，３５  メッセージ送信部，７４  センサ値送信部，７５  体感刺激発生部，７６  センサ部（センサ），Ｓ２  センサ値受信ステップ，Ｓ５  メッセージ送信ステップ
【図１】
2017038386.tif 000003
【図２】
2017038386.tif 000004
【図３】
2017038386.tif 000005
【図４】
2017038386.tif 000006
【図５】
2017038386.tif 000007
【図６】
2017038386.tif 000008
【図７】
2017038386.tif 000009
【国際調査報告】
2017038386.tif 000010
2017038386.tif 000011
2017038386.tif 000012
2017038386.tif 000013